(57)【要約】【課題】電力等のエネルギー消費の抑制等のために施設内の機器を制御し得る制御装置の施設への導入を促進し得る情報提供システムを提供する。【解決手段】情報端末３００に情報を提供する情報提供システム１０は、制御装置２００に関する認証を行う認証部が制御装置２００の認証に成功している場合に、情報端末３００に制御装置２００の導入を推奨する情報の提示を行わせるための制御情報を送信せず、認証部１５０が制御装置２００の認証に成功していない場合に、情報端末３００にその制御情報を送信する送信部１３０を備える。【選択図】図１
2018088194.tif 000002
【特許請求の範囲】
【請求項１】
情報端末に情報を提供する情報提供システムであって、
制御装置に関する認証を行う認証部が前記制御装置の認証に成功している場合に、前記情報端末に前記制御装置の導入を推奨する情報の提示を行わせるための制御情報を送信せず、前記認証部が前記制御装置の認証に成功していない場合に、前記情報端末に前記制御情報を送信する送信部を備える
情報提供システム。
【請求項２】
前記情報提供システムは更に、前記情報端末から、前記情報端末のアドレスの特定のための情報を含む所定要求情報を受信する受信部を備え、
前記送信部は、前記受信部により受信された前記所定要求情報に基づいて特定したアドレスを送信先として前記情報端末への前記制御情報の前記送信を行う
請求項１記載の情報提供システム。
【請求項３】
前記制御装置は、前記制御装置が設置された施設におけるエネルギー消費の測定結果を取得し、当該測定結果に基づいて生成した消費情報を保持する機能を有し、
前記情報提供システムは更に、前記認証部が前記制御装置の認証に成功している場合に、前記制御装置から前記消費情報を受信する通信部を備え、
前記送信部は、前記認証部が前記制御装置の認証に成功している場合には、前記受信部により受信された前記所定要求情報に基づいて特定したアドレスを送信先として前記情報端末へ、前記通信部により受信された前記消費情報を送信する
請求項２記載の情報提供システム。
【請求項４】
前記送信部は、
前記受信部により受信された前記所定要求情報が所定認証情報を含むことを条件として前記消費情報の前記送信を行い、
前記受信部により受信された前記所定要求情報が前記所定認証情報を含まない場合には、前記認証部による前記認証に成功していないものとして、前記情報端末へ前記制御情報を送信する
請求項３記載の情報提供システム。
【請求項５】
前記情報提供システムは、施設に設置された測定装置であって当該施設の電力消費を測定する測定部と前記認証部と前記送信部と前記受信部とを有する測定装置を備える
請求項２記載の情報提供システム。
【請求項６】
前記送信部は、前記測定部による測定結果を前記情報端末に送信する
請求項５記載の情報提供システム。
【請求項７】
前記認証部は、前記測定装置が設置された施設に設置された前記制御装置の認証を行い、
前記測定装置は、前記認証部が前記制御装置の認証に成功している場合に、前記測定部による測定結果を前記制御装置に送信する通信部を備え、
前記制御装置は、前記制御装置が設置された施設における装置と通信することで電力消費の測定結果を取得し、当該測定結果に基づいて生成した消費情報を保持する機能を有し、
前記情報提供システムは更に、前記制御装置から前記消費情報を受信して前記消費情報を前記情報端末へ送信するサーバを備える
請求項６記載の情報提供システム。
【請求項８】
前記送信部は、前記認証部が前記制御装置の認証に成功している場合に、前記消費情報の前記サーバからの受信及び表示のためのコンピュータプログラムを前記情報端末に取得させるために用いられる情報を、前記情報端末に送信する
請求項７記載の情報提供システム。
【請求項９】
前記測定装置は、分電盤の筐体内に所在する
請求項５〜８のいずれか一項に記載の情報提供システム。
【請求項１０】
前記制御情報は、前記制御装置の導入を推奨する情報の内容、又は、前記制御装置の導入を推奨する情報の提示指示を含む
請求項１〜９のいずれか一項に記載の情報提供システム。
【請求項１１】
前記制御情報は、前記制御装置の機能を示す情報を含む
請求項１〜１０のいずれか一項に記載の情報提供システム。
【請求項１２】
情報端末が備える表示装置に、制御装置が設置された施設におけるエネルギー消費の測定結果に基づく消費情報を生成する機能を有する当該制御装置に関連した情報を表示する情報表示方法であって、
制御装置の認証に用いる情報の入力用の入力画面を前記表示装置に表示している際に前記情報端末へ所定操作が行われた場合において、
前記入力画面に対する入力内容を用いた制御装置の認証に成功したときには、制御装置で生成された前記消費情報を前記表示装置に表示させ、
前記入力画面に対する入力内容を用いた制御装置の認証に成功しないときには、制御装置の導入を推奨する情報を前記表示装置に表示させる
情報表示方法。
【請求項１３】
プロセッサ及び表示装置を備える情報端末に、制御装置が設置された施設におけるエネルギー消費の測定結果に基づく消費情報を生成する機能を有する当該制御装置に関連した情報を表示する情報表示処理を実行させるための制御プログラムであって、
前記情報表示処理は、
制御装置の認証に用いる情報の入力用の入力画面を前記表示装置に表示する第１表示ステップと、
前記入力画面を前記表示装置に表示している際に前記情報端末へ所定操作が行われたことを検知する検知ステップと、
前記検知ステップにより前記所定操作が行われたことが検知された場合において、前記入力画面に対する入力内容を用いた制御装置の認証に成功したときには、制御装置で生成された前記消費情報を前記表示装置に表示し、前記入力画面に対する入力内容を用いた制御装置の認証に成功しないときには、制御装置の導入を推奨する情報を前記表示装置に表示する第２表示ステップとを含む
制御プログラム。
【発明の詳細な説明】
【技術分野】
【０００１】
本発明は、需要家の施設における電力に係る情報を表示する情報提供システム、並びに、この情報提供システムで用いられる情報表示方法及び制御プログラムに関する。
【背景技術】
【０００２】
従来、住宅における電力等のエネルギー管理をするＨＥＭＳ（Home Energy Management System）が知られている。ＨＥＭＳでは、例えば電力消費の抑制等のために、住宅における１台以上のＨＥＭＳ機器を、ＨＡＮ（Home Area Network）を介してＨＥＭＳコントローラと呼ばれる制御装置が制御する。ＨＥＭＳコントローラは、ＨＥＭＳ機器による電力消費等に係る情報を、モニター、タブレット等に表示してユーザに認知させ得る。例えば、住宅の電力消費機器の消費電力を測定しその測定結果に基づいて、ユーザ端末に、住宅内の電力需給の状態を表す画面を表示するエネルギー使用状況表示システムが知られている（特許文献１参照）。
【先行技術文献】
【特許文献】
【０００３】
【特許文献１】特開２０１４−１６０３９５号公報
【発明の概要】
【発明が解決しようとする課題】
【０００４】
ＨＥＭＳにおいて住宅等の施設における電力消費に係る情報を表示することの有用性の１つとして、例えばユーザに電力消費の抑制（所謂節電）の動機を与えるという効果が期待できる。なお、電力消費抑制は、例えば地球環境保護に有益である。
【０００５】
このため、電力消費の抑制等のために施設（住宅等）内の機器を制御し得る制御装置（ＨＥＭＳコントローラ）が、施設に導入されることは有益であるが、この制御装置を導入していない住宅の住人等（ユーザ）が制御装置を知らなければ、導入がなされない。
【０００６】
そこで、本発明は、電力等のエネルギー消費の抑制を図るべく、住宅等の施設への制御装置の導入を促進し得る情報提供システムを提供することを目的とする。また、本発明は、この情報提供システムで用いられる情報表示方法及び制御プログラムを提供することを目的とする。
【課題を解決するための手段】
【０００７】
上記目的を達成するために本発明の一態様に係る情報提供システムは、情報端末に情報を提供する情報提供システムであって、制御装置に関する認証を行う認証部が前記制御装置の認証に成功している場合に、前記情報端末に前記制御装置の導入を推奨する情報の提示を行わせるための制御情報を送信せず、前記認証部が前記制御装置の認証に成功していない場合に、前記情報端末に前記制御情報を送信する送信部を備える。
【０００８】
また、上記目的を達成するために本発明の一態様に係る情報表示方法は、情報端末が備える表示装置に、制御装置が設置された施設におけるエネルギー消費の測定結果に基づく消費情報を生成する機能を有する当該制御装置に関連した情報を表示する情報表示方法であって、制御装置の認証に用いる情報の入力用の入力画面を前記表示装置に表示している際に前記情報端末へ所定操作が行われた場合において、前記入力画面に対する入力内容を用いた制御装置の認証に成功したときには、制御装置で生成された前記消費情報を前記表示装置に表示させ、前記入力画面に対する入力内容を用いた制御装置の認証に成功しないときには、制御装置の導入を推奨する情報を前記表示装置に表示させる。
【０００９】
また、上記目的を達成するために本発明の一態様に係る制御プログラムは、プロセッサ及び表示装置を備える情報端末に、制御装置が設置された施設におけるエネルギー消費の測定結果に基づく消費情報を生成する機能を有する当該制御装置に関連した情報を表示する情報表示処理を実行させるための制御プログラムであって、前記情報表示処理は、制御装置の認証に用いる情報の入力用の入力画面を前記表示装置に表示する第１表示ステップと、前記入力画面を前記表示装置に表示している際に前記情報端末へ所定操作が行われたことを検知する検知ステップと、前記検知ステップにより前記所定操作が行われたことが検知された場合において、前記入力画面に対する入力内容を用いた制御装置の認証に成功したときには、制御装置で生成された前記消費情報を前記表示装置に表示し、前記入力画面に対する入力内容を用いた制御装置の認証に成功しないときには、制御装置の導入を推奨する情報を前記表示装置に表示する第２表示ステップとを含む。
【発明の効果】
【００１０】
本発明の一態様に係る情報提供システム、情報表示方法及び制御プログラムは、住宅等の施設への制御装置（ＨＥＭＳコントローラ）の導入を促進し得る。
【図面の簡単な説明】
【００１１】
【図１】実施の形態１に係る情報提供システムの概略構成図である。
【図２】実施の形態１に係る情報提供システムの動作例１を示すシーケンス図である。
【図３】実施の形態１に係る情報提供システムの動作例２を示すシーケンス図である。
【図４Ａ】実施の形態１に係る情報端末に表示される画面例（動作例１対応）を示す図である。
【図４Ｂ】実施の形態１に係る情報端末に表示される別の画面例（動作例１対応）を示す図である。
【図５Ａ】実施の形態１に係る情報端末に表示される画面例（動作例２対応）を示す図である。
【図５Ｂ】実施の形態１に係る情報端末に表示される別の画面例（動作例２対応）を示す図である。
【図６】実施の形態２に係る情報提供システムにおけるサーバの構成例を示す図である。
【図７】実施の形態２に係る情報提供システムの動作例１を示すシーケンス図である。
【図８】実施の形態２に係る情報提供システムの動作例２を示すシーケンス図である。
【図９】実施の形態２に係る情報端末に表示される画面例を示す図である。
【図１０】実施の形態２に係る情報端末等における情報表示処理の一例を示すフローチャートである。
【発明を実施するための形態】
【００１２】
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１３】
（実施の形態１）
以下、本発明の一実施形態に係る情報提供システムについて説明する。
【００１４】
［１−１．情報提供システムの構成］
図１は、本実施形態に係る情報提供システム１０の概略構成図である。同図に示す情報提供システム１０は、住宅等の施設２０に設置された測定装置１００、制御装置２００、機器２１、機器２２及びルータ３０と、情報端末３００とを含んで構成され、施設２０の外部のネットワーク３１及びサーバ４００を含み得る。但し、情報提供システム１０は、制御装置２００が施設２０において未だ導入されていない状態でも、適切に機能する。ここで、施設２０を住宅として説明すると、施設２０に制御装置２００が導入された状態では、制御装置２００はＨＥＭＳコントローラとして機器２１、機器２２等を制御し、施設２０において有用なＨＥＭＳが構成される。また、情報端末３００は、施設２０に設置された据え置き型の装置（例えばモニター、デスクトップＰＣ（Personal Computer）等）でも、ユーザ（例えば施設２０の住人、管理者その他の者）が携帯する装置（例えばスマートフォン、タブレット、ノートＰＣ等）であってもよい。機器２１及び機器２２は、施設２０に設置された機器の一例であり、例えば、センサ、照明機器、空調機器、テレビジョン受信装置（テレビ）、冷蔵庫、給湯機器、電磁調理器、電気自動車の充電装置等である。機器２１及び機器２２は、例えば、太陽電池等の発電装置、或いは、蓄電装置等であってもよい。ネットワーク３１は、例えばインターネット等の広域ネットワークである。ルータ３０は、施設２０内のＨＡＮ等のＬＡＮとネットワーク３１とを接続する通信装置であり、有線又は無線のＬＡＮにより機器２１、機器２２、制御装置２００、測定装置１００と接続し得る。なお、機器２１及び機器２２は、ルータ３０を介さずに、例えば特定小電力無線局としての無線通信等により制御装置２００と直接接続されてもよい。サーバ４００は、例えば、機器製造事業者、情報サービス事業者、電力会社等により運営され、例えば、情報の提供、情報の収集等を行うコンピュータシステムである。サーバ４００は、例えばウェブサーバ機能等を有し得る。
【００１５】
［１−２．測定装置］
測定装置１００は、分電盤の筐体内に所在し、例えば分電盤と一体化している。分電盤は、例えば、図示しない電力系統、電力供給装置（例えば太陽電池）等から供給される電力を分岐させる分岐回路、遮断器等を含む。測定装置１００は、分電盤における各分岐回路に接続された機器２１、２２等が使用（消費）する電力を電流センサで測定する電力測定回路を含み、その測定結果を情報端末３００に対して送信し得る。
【００１６】
測定装置１００は、例えば、図１に示すように測定部１１０、受信部１２０、送信部１３０、通信部１４０、及び、認証部１５０を備える。
【００１７】
測定部１１０は、電力測定回路で構成され、施設２０の電力消費を測定する機能を有する。測定部１１０は、具体的には、施設２０における分岐回路毎の消費電力（瞬時電力或いは積算電力量）を測定する。
【００１８】
受信部１２０は、通信回路で構成され、情報端末３００から、施設２０における消費電力の測定結果を要求する所定要求情報を受信する機能を有する。所定要求情報は、例えば情報端末３００のアドレスの特定のための情報を含む。このアドレスは、測定装置１００において情報の送信先として利用されるネットワークアドレスであればよい。このアドレスは、例えば、端末ＩＤ（識別子）、ＭＡＣ（Media Access Control）アドレス、ＩＰ（Internet Protocol）アドレス、電話番号等である。測定装置１００は、情報端末３００との間でいかなる方法で通信を行ってもよく、例えば、特定小電力無線局としての無線通信、或いは、ブルートゥース（登録商標）、Ｗｉ−Ｆｉ（登録商標）等の近距離無線通信で、通信を行う。
【００１９】
通信部１４０は、通信回路で構成され、例えば施設２０におけるＨＡＮ等のＬＡＮ（Local Area Network）で接続された機器と通信可能であり、施設２０に制御装置２００が導入されている場合において制御装置２００と通信する。制御装置２００の導入前において測定装置１００がＬＡＮと接続しない形態であれば通信部１４０は不要となり得る。このため、通信部１４０は、例えば、ＬＡＮを構成する機器とイーサネット（登録商標）により接続して通信を行うための通信アダプタ等として、必要な場合に測定装置１００に組み込んで利用できる部材であってもよい。
【００２０】
認証部１５０は、例えばプログラムを実行するプロセッサ（マイクロプロセッサ）等といった集積回路で構成され、通信部１４０を介して、測定装置１００が設置された施設２０に設置された制御装置２００の認証を行う機能を有する。ここで、認証は、制御装置２００との間で情報の伝送のための通信路（論理コネクション）の確立がなされる状態であるか否かを確認するものであればよい。通信路の確立がなされる状態であることを確認するために予め定めた条件が満たされると認証に成功したとし、通信路の確立ができない状態であれば（その条件が満たされなければ）認証に成功しないとして扱う。制御装置２００と測定装置１００との間の通信はいかなる方法で行われてもよいが、例えば有線通信であるならば、制御装置２００と測定装置１００とは物理的に接続されていなければ認証に成功しない。例えば、制御装置２００と測定装置１００との間で伝送される情報が暗号通信技術で保護される場合には、予め定められた認証手順により鍵の共有化等が行われることで、論理コネクションが確立する。制御装置２００が施設２０に導入されていない状態では、認証部１５０による制御装置２００の認証は成功しない。制御装置２００が施設２０に導入されて適切に設定等がなされることにより、認証部１５０による制御装置２００の認証が成功するようになる。なお、認証部１５０が制御装置２００の認証に成功している場合において、通信部１４０は、測定部１１０により測定された電力に係る測定結果を周期的に制御装置２００に送信する。また、認証部１５０が制御装置２００の認証に成功している場合において、通信部１４０は、制御装置２００から、施設２０の電力消費に係る情報（消費情報）等を受信し得る。
【００２１】
送信部１３０は、例えば受信部１２０と同じ通信回路で構成され、情報端末３００に対して、情報を送信する機能を有する。送信部１３０は、例えば、認証部１５０が制御装置２００の認証に成功している場合に、情報端末３００に制御情報を送信せず、認証部１５０が制御装置２００の認証に成功していない場合に、情報端末３００にその制御情報を送信する。制御情報は、制御装置２００の施設２０への導入を推奨する情報の提示を行わせるための情報であり、例えば、制御装置２００の導入を推奨する情報の内容（その情報そのもの）を含む。なお、情報端末３００が、制御装置２００の導入を推奨する情報そのものを予め保持しているような場合においては、制御情報は、例えば、その情報（制御装置２００の導入を推奨する情報）の提示指示を示すものであってもよい。制御情報は、制御装置２００の機能を示す情報（例えば機能紹介）を含むものであってもよい。なお、送信部１３０は、受信部１２０により受信された所定要求情報に基づいて特定したアドレスを送信先として情報端末３００への情報（制御情報等）の送信を行う。また、送信部１３０は、認証部１５０が制御装置２００の認証に成功している場合には、例えば、通信部１４０により制御装置２００から受信された消費情報を、所定要求情報に基づいて特定したアドレスを送信先として情報端末３００へ送信し得る。また、送信部１３０は、認証部１５０が制御装置２００の認証に成功していない場合には、例えば、測定部１１０で測定した測定結果を示す情報を、所定要求情報に基づいて特定したアドレスを送信先として情報端末３００へ送信し得る。
【００２２】
［１−３．制御装置］
制御装置２００は、例えば、プログラム等を格納し得るメモリ、通信回路及びプロセッサを備えるコンピュータであり、ＨＥＭＳコントローラ等として機能を得る。制御装置２００は、自装置が設置された施設２０におけるエネルギー消費の測定結果を取得し、測定結果に基づいて生成した消費情報を保持し、消費情報等に基づいて、例えば施設２０での電力消費を低減させるように機器２１、機器２２等を制御する機能を有する。
【００２３】
制御装置２００は、上述の機能等を実現するために機能面では、例えば図１に示すように、通信部２１０、生成部２２０、及び、保持部２３０を備える。
【００２４】
通信部２１０は、機器２１、２２、及び、測定装置１００と通信するための通信回路で構成される。通信部２１０は、例えば、施設２０内のセンサ等を含む機器からエネルギー消費の測定結果を受信し得るし、例えば、測定装置１００から電力消費の測定結果を受信し得る。
【００２５】
生成部２２０は、メモリに格納されたプログラムを実行するプロセッサ等で実現され、測定装置１００から受信された測定結果に基づいて消費情報を生成する機能を有する。消費情報は、測定装置１００における測定結果に基づいて生成された情報を含み、その他の電力以外のエネルギーに関する情報を含んでもよい。なお、制御装置２００は、例えば、測定装置１００より多くの記憶容量の記憶媒体を有し、演算処理能力の高いプロセッサ等といった比較的高性能なリソースを有する装置であることが想定される。このため、制御装置２００では、測定装置１００から周期的に受信した電力消費の測定結果（例えば瞬時電力或いは積算電力量）等を記憶媒体に蓄積する。そして、制御装置２００は、生成部２２０において、例えば１ヵ月分、１年分、その他の期間に亘る積算電力量の情報、或いは、測定結果をグラフ化した情報等といった各種情報を消費情報に含ませ得る。制御装置２００がサーバ４００から、例えば、電力会社と施設２０との間での電力の売買の単価等を示す情報を取得して、生成部２２０は、その情報に基づいて１ヵ月分等の電力料金を算定して消費情報に含ませてもよい。また、制御装置２００は、機器２１、機器２２等の動作状況を管理し、生成部２２０は、電力消費量、発電量、蓄電状態等に関する情報（例えば施設２０における電力の流れを表す情報等）を消費情報に含ませ得る。情報端末３００を介して情報を認識し得るユーザにとって、測定装置１００の測定結果の情報より、制御装置２００で生成した消費情報の方が一層有用となり得る。
【００２６】
保持部２３０は、記憶媒体等で実現され、生成部２２０により生成された消費情報を保持する。この消費情報は、通信部２１０により、測定装置１００に送信される。また、消費情報は、サーバ４００、或いは、施設２０内のＬＡＮに接続された他の機器等に送信されることとしてもよい。
【００２７】
［１−４．情報端末］
情報端末３００は、メモリ、通信回路、プロセッサ、及び、ユーザインタフェースを備えるコンピュータであり、例えばユーザに携帯されるスマートフォン等である。ユーザインタフェースは、表示装置（ディスプレイ等）、入力装置（タッチパネル等）等である。情報端末３００は、各種センサを備え得る。メモリは、プログラム及びデータを予め保持しているＲＯＭ、プログラムの実行に際してデータ等の記憶に利用するためのＲＡＭ等であり、例えば不揮発性メモリを含んでいてもよい。プロセッサは、メモリに格納された制御プログラムを実行することにより通信回路、表示装置等を制御して情報表示処理等の各種処理を行う。情報表示処理は、例えば、制御装置２００に関連した情報を表示する処理である。メモリに格納される各種の制御プログラムは、例えば、ウェブページを閲覧するためのブラウザ等を含み得る。また、ある種の制御プログラムは、例えば、サーバ４００等からダウンロードしたもの（アプリケーションプログラム、アプレット、スクリプト等）であってもよい。通信回路は、有線又は無線のいかなる方法で通信を行うものでもよいが、測定装置１００と通信を行うものであり、例えば、特定小電力無線局としての無線通信、或いは、ブルートゥース（登録商標）等の近距離無線通信で、通信を行う。また、情報端末３００の通信回路は、ネットワーク３１等を介してサーバ４００と通信を行うための構成を有し得る。例えば、情報端末３００は、無線ＬＡＮ経由でネットワーク３１と接続してサーバ４００と通信してもよいし、ネットワーク３１に接続された無線基地局との無線通信により、サーバ４００と通信してもよい。
【００２８】
情報端末３００は、機能面において例えば図１に示すように、通信部３１０、表示部３２０、及び、検知部３３０を備える。
【００２９】
通信部３１０は、通信回路等で実現され、他の装置（例えば測定装置１００、サーバ４００等）と通信する機能を有する。
【００３０】
表示部３２０は、制御プログラムを実行するプロセッサ、表示装置等で実現され、例えば制御装置２００の認証に用いる情報の入力用の入力画面、制御装置２００に関連した情報等といった各種画面及び各種情報を表示装置に表示する機能を有する。
【００３１】
検知部３３０は、例えば入力装置、制御プログラムを実行するプロセッサ等で実現され、情報端末３００に対するユーザによる操作を検知する機能を有する。検知部３３０は、例えば、入力画面を表示装置に表示している際に情報端末３００へ予め定められた所定操作が行われたこと等を検知し得る。検知部３３０が検知し得る所定操作は、タッチパネル等といった入力装置への操作であり、例えば、情報端末３００のセンサで検出可能な振動、音声入力その他の入力操作であってもよい。情報端末３００は、検知部３３０により検知された操作に応じて表示部３２０が表示装置に表示する内容を切り替え得る。
【００３２】
［２−１．情報提供システムの動作］
上述の構成を備える情報提供システム１０は、測定装置１００、制御装置２００等により情報端末３００に各種の情報を提供し、これにより情報端末３００のユーザに情報を提供する。情報提供システム１０は、例えば、ユーザへの情報の提供の方法として、情報端末３００の表示装置に、制御装置２００に関連した情報を表示する情報表示方法を用いる。以下、情報提供システム１０の動作例について図２（動作例１）及び図３（動作例２）を用いて説明する。
【００３３】
［２−２．実施の形態１に係る情報提供システムの動作例１］
図２は、本実施の形態に係る情報提供システム１０の動作例１を示すシーケンス図である。情報提供システム１０において制御装置２００を導入していない場合（施設２０に制御装置２００がない場合）の例について、図２に即して説明する。
【００３４】
施設２０内において、電力消費の情報を知りたいユーザは情報端末３００を操作する。情報端末３００は、検知部３３０で検知したユーザ操作に応じて、電力消費の情報を要求する所定要求情報を、通信部３１０により、施設２０の分電盤の測定装置１００に送信する（ステップＳ１１）。所定要求情報は、例えば予め定められたコマンドに情報端末３００の端末ＩＤ等を付した情報等である。
【００３５】
測定装置１００は、受信部１２０により、所定要求情報を受信すると、認証部１５０により制御装置２００の認証を行う（ステップＳ１２）。しかし、制御装置２００が導入されていない状態では、制御装置２００と通信できないので認証は失敗する。認証に失敗すると測定装置１００は、送信部１３０により、制御装置２００の導入を推奨する情報、及び、測定部１１０で測定した電力消費の測定結果を示す情報を、所定要求情報の送信元の情報端末３００（所定要求情報に含まれる端末ＩＤ等で特定される情報端末）に送信する（ステップＳ１３）。
【００３６】
情報端末３００は、通信部３１０により、制御装置２００の導入を推奨する情報、及び、電力消費の測定結果を示す情報を受信して、受信した情報に基づく画面を、表示部３２０により表示装置に表示する（ステップＳ１４）。これにより、ユーザは、電力消費の情報を知ることができ、更に、制御装置２００を導入可能であることを知ることができる。制御装置２００の導入を推奨する情報は、制御装置２００を導入する方法、導入の利点等を示す情報であってもよい。図４Ａに、ステップＳ１４で情報端末３００の表示装置に表示される画面の例を示す。同図の例の画面５０１は、測定装置１００で測定された電力消費の測定結果に係る情報を表す表示要素５０１ａ、制御装置２００の導入を推奨する情報を表す表示要素５０１ｂ、及び、制御装置２００の機能を説明する画面への遷移のためのＧＵＩ（Graphical User Interface）ボタン５０１ｃを含む。情報端末３００が、メモリ等に制御装置２００の導入を推奨する情報を有している場合に測定装置１００はステップＳ１３で、制御装置２００の導入を推奨する情報を情報端末３００に送信する代わりに、その情報の表示を指示する情報を送信することとしてもよい。ユーザがＧＵＩボタン５０１ｃを押下する操作を行うと、例えば、制御装置２００の機能を説明する機能説明画面が表示される。この機能説明画面の内容は、例えば、測定装置１００から取得したものであっても、サーバ４００等にアクセスして取得したものであってもよい。図４Ｂに、情報端末３００の表示装置に表示される機能説明画面の例を示す。図４Ｂの例の機能説明画面５０１ｄは、ＨＥＭＳコントローラである制御装置２００の機能を紹介する内容を含む。
【００３７】
［２−３．実施の形態１に係る情報提供システムの動作例２］
図３は、本実施の形態に係る情報提供システム１０の動作例２を示すシーケンス図である。情報提供システム１０において制御装置２００を導入している場合（図１に示すように施設２０に制御装置２００がある場合）の例について、図３に即して説明する。なお、上述した図２と同様のステップについては、図３でも同じ符号を付しており、ここでは説明を適宜省略する。
【００３８】
制御装置２００は、測定装置１００からの認証に成功している場合等において、周期的に測定装置１００から電力消費に係る測定結果を取得して（ステップＳ１）、その測定結果を制御装置２００が備える記憶媒体等に蓄積している。このステップＳ１での処理は、図３では１回しか示していないが、適時行われ得る。
【００３９】
施設２０内において、電力消費の情報を知りたいユーザは情報端末３００を操作する。情報端末３００は、電力消費の情報を要求する所定要求情報を、測定装置１００に送信する（ステップＳ１１）。測定装置１００は、所定要求情報を受信すると、認証部１５０により制御装置２００の認証を行う（ステップＳ１２）。なお、既に認証を行って成功している場合には、ステップＳ１２で認証を省略することとしてもよいし、この場合でも認証を行ってもよい。認証は、いかなる方法で行ってもよいが、例えば、情報端末３００が所定要求情報に含めて送信した認証情報を用いて、制御装置２００と通信することで行うこととしてもよい。所定要求情報を受信した測定装置１００は、制御装置２００との通信により認証に成功している場合に、通信部１４０により、制御装置２００に消費情報を要求する（ステップＳ２１）。
【００４０】
制御装置２００は、測定装置１００から消費情報が要求されると、それまでに測定装置１００から逐次取得している測定結果に基づいて、生成部２２０により電力消費に関する消費情報を生成する（ステップＳ２２）。制御装置２００は、生成した消費情報を保持部２３０で保持し、その消費情報に更に電力消費に関する様々な情報を含ませ得るし、電力消費以外の情報を含ませてもよい。
【００４１】
制御装置２００は、生成部２２０に生成されて保持部２３０が保持する消費情報を測定装置１００に送信する（ステップＳ２３）。
【００４２】
測定装置１００は、消費情報を通信部１４０により受信し、送信部１３０により、所定要求情報の送信元の情報端末３００に送信する（ステップＳ２４）。なお、制御装置２００は、情報端末３００との間でＷｉ−Ｆｉ（登録商標）等により通信することで、消費情報を情報端末３００に直接送信してもよい。制御装置２００は、情報端末３００との間で認証を行うこととしてもよく、認証に成功している場合にのみ、消費情報を情報端末３００に送信することとしてもよい。
【００４３】
情報端末３００は、通信部３１０により、消費情報を受信して、受信した情報に基づく画面を、表示部３２０により表示装置に表示する（ステップＳ２５）。これにより、ユーザは、制御装置２００により生成された、電力消費に係る詳細な情報等を知り得る。図５Ａに、ステップＳ２５で情報端末３００の表示装置に表示される画面の例を示す。同図の例の画面５０２は、制御装置２００で生成された消費情報の一部（例えば測定装置１００で測定された電力消費の測定結果に基づく情報等）を表す表示要素５０２ａと、ＧＵＩボタン５０２ｂ、５０２ｃ、５０２ｄとを含む。ＧＵＩボタン５０２ｂは、消費電力量の一定期間における積算量の表示のための情報（消費情報の一部）を表す画面への遷移のためのボタンである。ＧＵＩボタン５０２ｃは、消費情報の一部に基づく消費電力の推移を示すグラフを表示する画面への遷移のためのボタンである。ＧＵＩボタン５０２ｄは、系統電力、或いは、施設２０の発電装置で発電した電力（電気）の流れを示す情報（消費情報の一部）を表示する画面への遷移のためのボタンである。ユーザは、各ＧＵＩボタンを押下する操作を行うことで、画面を遷移させ、様々な情報を知ることができる。ＧＵＩボタン５０２ｄの押下に応じて情報端末３００の表示装置に表示される画面の例を図５Ｂに示す。図５Ｂの例の画面５０２ｅは、消費情報に基づいて表示された、施設２０における電力（電気）の流れを示す画面である。
【００４４】
（実施の形態２）
以下、上述した情報提供システム１０のサーバ４００が制御装置２００の認証を行うこととした態様について説明する。本実施の形態において、特に説明しない点については、情報提供システム１０は実施の形態１で示したもの（図１参照）と同様である。本実施の形態においても、制御装置２００が導入されていない状態であっても、情報提供システム１０は適切に機能する。
【００４５】
［３．サーバ］
サーバ４００は、メモリ、通信回路、プロセッサ等を備えるコンピュータであり、例えばウェブサーバ機能を有し、情報端末３００からアクセスされ、情報端末３００に各種情報を提供し得る。情報端末３００は、ウェブページの閲覧のためのブラウザ機能を有してもよく、ここではブラウザ機能を有する例を用いて説明する。サーバ４００からの情報の送信はいかなる形式で行われてもよい。ここでは便宜上、サーバ４００がウェブサーバ機能により、制御装置２００を含む各種機器（製品）を製造する機器製造事業者が提供する情報（製品情報等）を含むウェブページのデータ（情報）を送信する例を用いて説明する。但し、サーバ４００が提供する情報は、製品情報に限られることはなく、例えば、天気予報、省エネルギーに関する情報、一般的な各種コンテンツ等であり得る。サーバ４００は、例えば、制御装置２００を導入（使用）していない者に対して一般的なコンテンツを提供し、制御装置２００を使用している者に対して制御装置２００から得られる情報を含む特別なコンテンツを提供し得る。
【００４６】
図６は、本実施の形態に係る情報提供システム１０におけるサーバ４００の構成例を示す図である。同図には、情報端末３００及びネットワーク３１を付記している。
【００４７】
サーバ４００は、図６に示すように受信部４１０、送信部４２０、通信部４３０、及び、認証部４４０を備える。
【００４８】
受信部４１０は、通信回路で構成され、情報端末３００から、情報を要求する要求情報を受信する機能を有する。情報端末３００では検知部３３０で検知したユーザ操作に応じて通信部３１０が要求情報をサーバ４００に対して送信する。要求情報は、例えば情報端末３００のアドレスの特定のための情報（例えばＩＰアドレス等）を含む。要求情報には、エネルギー管理情報（施設２０における消費電力の測定結果等）を要求するもの（所定要求情報）等がある。
【００４９】
通信部４３０は、通信回路で構成され、施設２０に制御装置２００が導入されている場合において、ネットワーク３１及び施設２０のルータ３０（図１参照）を介して制御装置２００と通信し得る。
【００５０】
認証部４４０は、例えばプログラムを実行するプロセッサにより実現され、通信部４３０を介して、施設２０に設置された制御装置２００の認証を行う機能を有する。サーバ４００と制御装置２００との間で情報の伝送のための通信路（論理コネクション）の確立がなされる状態であることを確認するために予め定めた条件が満たされると認証に成功したとし、その条件が満たされなければ認証に成功しないとして扱う。例えば、制御装置２００とサーバ４００との間で伝送される情報が暗号通信技術で保護される場合には、予め定められた認証手順により鍵の共有化等が行われることで、論理コネクションが確立する。制御装置２００が施設２０に導入されていない状態では、認証部４４０による制御装置２００の認証は成功しない。制御装置２００が施設２０に導入されて適切に設定等がなされることにより、認証部４４０による制御装置２００の認証が成功するようになる。認証においては、例えば、サーバ４００の受信部４１０により受信された所定要求情報が所定認証情報を含むことを、認証成功の一条件とする。即ち、認証部４４０は、通信部４３０を介して所定認証情報を用いて制御装置２００と通信することで認証を行う。所定認証情報は、サーバ４００において制御装置２００との通信及び制御装置２００の認証に必要な情報そのものであってもよいし、その必要な情報を特定するために用いられる情報であってもよい。所定認証情報は、例えば、制御装置２００に設定された認証コード等である。認証部４４０は、所定要求情報が所定認証情報を含まない場合には、認証に成功しないと扱う。なお、認証部４４０が制御装置２００の認証に成功している場合において、通信部４３０は、制御装置２００から、施設２０の電力消費に係る消費情報等を受信し得る。
【００５１】
送信部４２０は、例えば受信部４１０と同じ通信回路で構成され、情報端末３００に対して、情報（例えば情報端末３００のブラウザ機能で表示するためのウェブページに係る情報）を送信する機能を有する。送信部４２０は、例えば、認証部４４０が制御装置２００の認証に成功している場合に、情報端末３００に制御情報を送信せず、認証部４４０が制御装置２００の認証に成功していない場合に、情報端末３００にその制御情報を送信する。制御情報は、例えば、ウェブページに係る情報に含まれて送信される。制御情報は、実施の形態１で説明したものと同様に、制御装置２００の施設２０への導入を推奨する情報の提示を行わせるための情報である。実施の形態１と同様に、制御情報は、制御装置２００の機能を示す情報を含むものであってもよい。なお、送信部４２０は、受信部４１０により受信された所定要求情報に基づいて特定したアドレスを送信先として情報端末３００への情報（例えば制御情報等を含むウェブページに係る情報）の送信を行う。また、送信部４２０は、認証部４４０が制御装置２００の認証に成功している場合には、例えば、通信部４３０により制御装置２００から受信された消費情報（例えば消費情報を含むウェブページに係る情報）を、所定要求情報に基づいて特定したアドレスを送信先として情報端末３００へ送信し得る。また、送信部４２０は、認証部４４０が制御装置２００の認証に成功していない場合（或いは成功している場合）において、例えば、各種製品の製品情報或いはその他の情報を含むウェブページに係る情報を、所定要求情報に基づいて特定したアドレスを送信先として情報端末３００へ送信し得る。情報端末３００では、通信部３１０によりサーバ４００から受信した情報に基づいて表示部３２０が表示装置に情報（例えばウェブページを表す画面）を表示する。
【００５２】
［４−１．情報提供システムの動作］
上述のサーバ４００を含む本実施の形態に係る情報提供システム１０は、制御装置２００、サーバ４００等により情報端末３００に各種の情報を提供し、これにより情報端末３００のユーザに情報を提供する。以下、本実施の形態に係る情報提供システム１０の動作例について図７（動作例１）及び図８（動作例２）を用いて説明する。
【００５３】
［４−２．実施の形態２に係る情報提供システムの動作例１］
図７は、本実施の形態に係る情報提供システム１０の動作例１を示すシーケンス図である。情報提供システム１０において制御装置２００を導入していない場合（施設２０に制御装置２００がない場合）の例について、図７に即して説明する。
【００５４】
サーバ４００にアクセスしてウェブページを閲覧すべく、ユーザは情報端末３００を操作する。情報端末３００は、検知部３３０で検知したユーザ操作に応じて、ウェブページに係る情報を要求する要求情報を、通信部３１０により、サーバ４００に送信する（ステップＳ３１）。これに応じてサーバ４００は、各種製品の製品情報を表すウェブページに係る情報を、要求情報の送信元の情報端末３００に送信する（ステップＳ３２）。
【００５５】
情報端末３００は、ブラウザ機能により、ウェブページに係る情報を受信すると、その情報に基づいて表示部３２０で表示装置にウェブページの画面を表示する（ステップＳ３３）。この画面は、例えば、製品情報等を表す画面であり、また、制御装置２００の認証に用いる情報としての認証コードの入力画面である。
【００５６】
図９に、サーバ４００にアクセスした情報端末３００の表示装置に表示される画面の例を示す。同図の例の画面５０３は、各種製品の製品情報を表す表示要素５０３ａと、エネルギー管理情報（制御装置２００により生成される電力消費に係る消費情報等）の要求のために所定認証情報としての認証コードを入力するための入力フィールド５０３ｂと、エネルギー管理情報の表示を要求するためのＧＵＩボタン５０３ｃとを含む。ユーザが入力フィールド５０３ｂに、認証コードを入力して、ＧＵＩボタン５０３ｃを押下する操作を行うと、所定認証情報を含む所定要求情報が情報端末３００からサーバ４００に送信される。また、ユーザが入力フィールド５０３ｂに、認証コードを入力せずに、ＧＵＩボタン５０３ｃを押下する操作を行うと、所定認証情報を含まない所定要求情報が情報端末３００からサーバ４００に送信される。ここでは、入力フィールド５０３ｂにユーザが何らかの認証コードを入力してＧＵＩボタン５０３ｃを押下したものとして説明を続ける。
【００５７】
情報端末３００は、入力画面のＧＵＩボタン５０３ｃの押下等という所定操作を検知部３３０で検知する。そして情報端末３００は、所定操作に応じて、入力フィールド５０３ｂに入力された認証コード等といった所定認証情報を含み、エネルギー管理情報（電力消費の情報等）を要求する所定要求情報を、通信部３１０により、サーバ４００に送信する（ステップＳ３４）。所定要求情報は、例えば予め定められたコマンドに情報端末３００のＩＰアドレス等を付した情報等である。
【００５８】
サーバ４００は、受信部４１０により、所定要求情報を受信すると、認証部４４０により制御装置２００の認証を行う（ステップＳ３５）。しかし、制御装置２００が導入されていない状態では、制御装置２００と通信できないので認証は失敗する。認証に失敗するとサーバ４００は、送信部４２０により、制御装置２００の導入を推奨する情報を表すウェブページに係る情報を、所定要求情報に含まれるＩＰアドレス等で特定した送信先に、つまり、所定要求情報の送信元の情報端末３００に送信する（ステップＳ３６）。
【００５９】
情報端末３００は、通信部３１０により、制御装置２００の導入を推奨する情報を表すウェブページに係る情報を受信して、受信した情報に基づくウェブページの画面を、表示部３２０により表示装置に表示する（ステップＳ３７）。これにより、ユーザは、制御装置２００を導入可能であることを知ることができる。制御装置２００の導入を推奨する情報は、実施の形態１で示したものと同様であり、制御装置２００を導入する方法、導入の利点、制御装置２００の機能等を示す情報であってもよい。なお、サーバ４００の送信部４２０では、受信部４１０により受信された所定要求情報が所定認証情報を含むことを条件として制御装置２００との認証に成功した場合に消費情報を情報端末３００に送信し得る。しかし、送信部４２０は、受信部４１０により受信された所定要求情報が所定認証情報（認証コード等）を含まない場合には、認証部４４０による認証に成功していないものとして、情報端末３００へ制御情報を送信する。
【００６０】
［４−３．実施の形態２に係る情報提供システムの動作例２］
図８は、本実施の形態に係る情報提供システム１０の動作例２を示すシーケンス図である。情報提供システム１０において制御装置２００を導入している場合（図１に示すように施設２０に制御装置２００がある場合）の例について、図８に即して説明する。なお、上述した図７と同様のステップについては、図８でも同じ符号を付しており、ここでは説明を適宜省略する。また、ステップＳ１は、実施の形態１で示したもの（図３参照）と同様である。
【００６１】
制御装置２００は、実施の形態１と同様に、測定装置１００からの認証に成功している場合等において、周期的に測定装置１００から電力消費に係る測定結果を取得して（ステップＳ１）、その測定結果を制御装置２００が備える記憶媒体等に蓄積している。このステップＳ１での処理は、図８では１回しか示していないが、適時行われ得る。
【００６２】
ウェブページを閲覧するためのユーザ操作に応じて、情報端末３００は、ウェブページに係る情報を要求する要求情報をサーバ４００に送信する（ステップＳ３１）。これに応じてサーバ４００は、各種製品の製品情報を表すウェブページに係る情報を情報端末３００に送信する（ステップＳ３２）。
【００６３】
情報端末３００は、ブラウザ機能により、ウェブページに係る情報を受信すると、その情報に基づいて表示部３２０で表示装置にウェブページの画面を表示する（ステップＳ３３）。この画面は、例えば、図９に示す画面５０３である。ここでは、画面５０３の入力フィールド５０３ｂに、制御装置２００に設定された認証コードをユーザが入力してＧＵＩボタン５０３ｃを押下したものとして説明を続ける。
【００６４】
情報端末３００は、入力画面におけるＧＵＩボタン５０３ｃの押下等という所定操作を検知部３３０で検知し、認証コード等といった所定認証情報を含み、エネルギー管理情報（電力消費の情報等）を要求する所定要求情報を、サーバ４００に送信する（ステップＳ３４）。
【００６５】
サーバ４００は、受信部４１０により、所定要求情報を受信すると、認証部４４０により制御装置２００の認証を行う（ステップＳ３５）。認証は、いかなる方法で行ってもよいが、例えば、情報端末３００が所定要求情報に含めて送信した所定認証情報を用いて、制御装置２００と通信することで行うこととしてもよい。所定要求情報を受信したサーバ４００は、制御装置２００との通信により認証に成功した場合に、通信部４３０により、制御装置２００に消費情報を要求する（ステップＳ４１）。
【００６６】
制御装置２００は、サーバ４００から消費情報が要求されると、それまでに測定装置１００から逐次取得している測定結果に基づいて、生成部２２０により電力消費に関する消費情報を生成する（ステップＳ４２）。消費情報は、実施の形態１で示したものと同様である。制御装置２００は、生成した消費情報を保持部２３０で保持し、その消費情報に更に電力消費に関する様々な情報を含ませ得るし、電力消費以外の情報を含ませてもよい。
【００６７】
制御装置２００は、生成部２２０に生成されて保持部２３０が保持する消費情報をサーバ４００に送信する（ステップＳ４３）。
【００６８】
サーバ４００は、消費情報を通信部４３０により受信し、送信部４２０により、消費情報を含むウェブページに係る情報を、所定要求情報の送信元の情報端末３００に送信する（ステップＳ４４）。
【００６９】
情報端末３００は、通信部３１０により、消費情報を含むウェブページに係る情報を受信して、受信した情報に基づく画面（例えば図５Ｂに示す画面５０２ｅ）を、表示部３２０により表示装置に表示する（ステップＳ４５）。これにより、ユーザは、制御装置２００により生成された、電力消費に係る詳細な情報等を知り得る。
【００７０】
［４−４．情報表示処理］
図１０は、本実施の形態に係る情報端末３００等における情報表示処理の一例を示すフローチャートである。情報表示処理は、情報提供システム１０において情報端末３００及び他の装置（例えばサーバ４００）の連携により実行される。
【００７１】
以下、上述の情報提供システム１０において情報端末３００等が実行する情報表示処理について、図１０に即して説明する。
【００７２】
情報端末３００は、第１表示ステップとして、制御装置２００の認証に用いる情報の入力用の入力画面を表示装置に表示する（ステップＳ５１）。この入力画面は、例えば図９に示した画面５０３である。
【００７３】
次に情報端末３００は、検知ステップとして、入力画面を表示装置に表示している際に情報端末３００へ所定操作が行われたことを検知する（ステップＳ５２）。所定操作は、例えば、図９で「表示」と描かれたＧＵＩボタン５０３ｃの押下操作である。
【００７４】
ステップＳ５２で所定操作が検知された場合に、情報端末３００は、画面５０３に対する入力内容（入力フィールド５０３ｂに入力された認証コード等）を含む所定要求情報をサーバ４００に送信し、サーバ４００では、その入力内容に基づいて制御装置２００の認証を行う（ステップＳ５３）。
【００７５】
情報端末３００は、第２表示ステップとして、ステップＳ５２で所定操作が検知された場合に、サーバ４００での制御装置２００の認証に成功したときには、制御装置２００で生成された消費情報を表示装置に表示し、その認証に成功しないときには、制御装置２００の導入を推奨する情報を表示装置に表示する。即ち、ステップＳ５３での制御装置２００の認証が成功したときには（ステップＳ５４）、サーバ４００から情報を受信することにより、情報端末３００は、消費情報を表示装置に表示する（ステップＳ５５）。また、ステップＳ５３での制御装置２００の認証が成功しなかったときには（ステップＳ５４）、サーバ４００から情報を受信することにより、情報端末３００は、制御装置２００の導入を推奨する情報を表示装置に表示する（ステップＳ５６）。
【００７６】
（他の実施の形態等）
以上、実施の形態１、２により情報提供システム１０について説明したが、上述した実施の形態は一例にすぎず、各種の変更、付加、省略等が可能であることは言うまでもない。
【００７７】
上記実施の形態２では、図１０を用いて、情報端末３００とサーバ４００との連携により実行される情報表示処理の例を示したが、情報表示処理は、サーバ４００に代えて主に実施の形態１で説明した測定装置１００と、情報端末３００との連携によっても実行され得る。ステップＳ５３での制御装置２００の認証の主体は、サーバ４００の他に測定装置１００であってもよく、いずれの場合でも情報端末３００において、上述の第１表示ステップ、検知ステップ、及び、第２表示ステップを含む処理手順を実行可能である。なお、認証コード等といった認証用情報の入力のための入力画面は、情報端末３００が、サーバ４００或いは他の装置等からダウンロードしたアプリケーションプログラム等によって表示されるものであってもよい。
【００７８】
また、上記実施の形態で示した測定装置１００の送信部１３０は、認証部１５０が制御装置２００の認証に成功している場合に、消費情報のサーバ４００からの受信及び表示のためのプログラム（アプリケーションプログラム等）を情報端末３００に取得（ダウンロード等）させるために用いられるプログラム取得用情報を、情報端末３００に送信することとしてもよい。このプログラム取得用情報は、例えばサーバ４００等のダウンロード用のウェブページのＵＲＬ（Uniform Resource Locator）等である。
【００７９】
また、上記実施の形態では測定装置１００が認証部１５０を備える例を示したが、制御装置２００が稼働していること（例えば施設２０に導入されていること）を推定するための認証部が、測定装置１００以外に備えられてもよい。例えば、制御装置２００が、制御装置２００に関する認証を行う認証部を備えてもよい。制御装置２００に関する認証は、例えば、施設２０内のいずれかの装置（例えば測定装置１００）との間での通信に基づく認証、サーバ４００或いは情報端末３００との通信に基づく認証等であり得る。情報提供システム１０においては、通信等により、制御装置２００に関する認証が成功したか否かの結果を取得することで、制御装置の導入を推奨する情報を提示させるための制御情報の送信を行うか否かの判断が可能となる。
【００８０】
また、上記実施の形態では、情報提供システム１０が電力消費に係る消費情報等を情報端末３００に提供する例を示した。この他に、各種センサ等による測定結果に基づいて、ガス、水道の水等といった電気以外のエネルギーの需給に係るエネルギー管理情報を、情報端末３００に提供することとしてもよい。
【００８１】
また、上記実施の形態では制御装置２００、施設２０としての住宅におけるＨＥＭＳであるとして説明した。しかし、施設２０は必ずしも住宅に限られることはなく、制御装置２００は、施設２０でのエネルギー管理に係るエネルギー管理情報の表示等のための制御を行うものであれば足りる。従って、制御装置２００は、例えばビルにおけるＢＥＭＳ（Building Energy Management System）のコントローラ、工場におけるＦＥＭＳ（Factory Energy Management System）のコントローラ等であってもよい。
【００８２】
また、上述の情報提供システム１０の各装置における動作シーケンス、或いは、情報表示処理の手順（図２、３、７、８、１０参照）の実行順序は、必ずしも、上述した通りの順序に制限されるものではなく、発明の要旨を逸脱しない範囲で、実行順序を入れ替えたりその一部を省略したりすることができる。また、上述の情報表示処理の手順の全部又は一部は、情報端末３００或いは他の装置（例えばサーバ４００、測定装置１００等）のハードウェアにより実現されても、ソフトウェアを用いて実現されてもよい。なお、ソフトウェアによる処理は、情報端末３００或いは他の装置に含まれるプロセッサ（マイクロプロセッサ）がメモリに記憶された制御プログラムを実行することにより実現されるものである。また、その制御プログラムを記録媒体に記録して頒布や流通させてもよい。例えば、頒布された制御プログラムを装置にインストールして、装置のプロセッサに実行させることで、装置に情報表示処理の全部又は一部を行わせることが可能となる。
【００８３】
また、上述した実施の形態で示した構成要素及び機能を任意に組み合わせることで実現される形態も本発明の範囲に含まれる。
【００８４】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００８５】
以下、本発明の一態様に係る情報提供システム、及び、この情報提供システムに関連する情報表示方法及び制御プログラムの構成、変形態様、効果等について示す。
【００８６】
（１）本発明の一態様に係る情報提供システムは、情報端末３００に情報を提供する情報提供システム１０であって、制御装置２００に関する認証を行う認証部（認証部４４０、認証部１５０或いは制御装置２００が有する認証部等）が制御装置２００の認証に成功している場合に、情報端末３００に制御装置２００の導入を推奨する情報の提示を行わせるための制御情報を送信せず、認証部が制御装置２００の認証に成功していない場合に、情報端末３００に制御情報を送信する送信部（送信部４２０或いは送信部１３０）を備える。制御装置２００の導入は、情報提供システム１０への導入であり、例えば施設２０への導入である。この導入により、制御装置２００は、情報提供システム１０を構成する装置と通信可能となる。
【００８７】
この構成により、施設２０への制御装置２００の導入の促進がなされ得る。また、この制御装置２００により、電力等のエネルギー消費の抑制がなされ得る。
【００８８】
（２）例えば、情報提供システム１０は更に、情報端末３００から、情報端末３００のアドレスの特定のための情報を含む所定要求情報を受信する受信部（受信部４１０或いは受信部１２０）を備え、送信部は、受信部により受信された所定要求情報に基づいて特定したアドレスを送信先として情報端末３００への制御情報の送信を行うこととしてもよい。アドレスの特定のための情報は、アドレスでもよいし、アドレスを、対応表、演算処理等によって特定するための情報（例えば事前にユーザ登録により、アドレスと登録テーブル等で対応付けられているユーザ識別情報等）であってもよい。
【００８９】
これにより、情報提供システム１０は、情報端末３００からのアクセスに対応して制御装置２００の導入を推奨するための制御情報を提供し得る。
【００９０】
（３）例えば、制御装置２００は、制御装置２００が設置された施設におけるエネルギー消費の測定結果を取得し、測定結果に基づいて生成した消費情報を保持する機能を有し、情報提供システム１０は更に、認証部４４０（或いは認証部１５０等）が制御装置２００の認証に成功している場合に、制御装置２００から消費情報を受信する通信部４３０（或いは通信部１４０）を備え、送信部４２０（或いは送信部１３０は、認証部４４０（或いは認証部１５０等）が制御装置２００の認証に成功している場合には、受信部４１０（或いは受信部１２０）により受信された所定要求情報に基づいて特定したアドレスを送信先として情報端末３００へ、通信部４３０（或いは通信部１４０）により受信された消費情報を送信することとしてもよい。
【００９１】
これにより、ユーザは、施設２０に制御装置２００を導入した場合において、情報端末３００により、エネルギー消費に関する情報を知ることができるようになる。
【００９２】
（４）例えば、送信部４２０は、受信部４１０により受信された所定要求情報が所定認証情報（例えば認証コード等）を含むことを条件として消費情報の情報端末３００への送信を行い、受信部４１０により受信された所定要求情報が所定認証情報を含まない場合には、認証部４４０による認証に成功していないものとして、情報端末３００へ制御情報（制御装置２００の導入を推奨するための情報）を送信することとしてもよい。所定認証情報は、制御装置２００の認証に直接用いるものであってもよいし、制御装置２００の認証に用いる情報を特定するための情報（予め定めた対応表、演算処理等によって特定するための情報）であってもよい。
【００９３】
これにより、情報提供システム１０では、認証コード等の所定認証情報が入力された場合に、エネルギー消費に係る消費情報を情報端末３００に提供し、所定認証情報が入力されない場合には、制御装置２００の導入促進のための情報を提供し得る。
【００９４】
（５）例えば、情報提供システム１０は、施設２０に設置された測定装置であって施設２０の電力消費を測定する測定部１１０と認証部１５０と送信部１３０と受信部１２０とを有する測定装置１００を備えることとしてもよい。
【００９５】
これにより、施設２０に制御装置２００を導入していない場合において、施設２０における測定装置１００から制御装置２００に関する情報を受信できる。このため、情報端末３００のユーザは、制御装置２００を知ることが可能となる。
【００９６】
（６）例えば、送信部１３０は、測定部１１０による測定結果を情報端末３００に送信することとしてもよい。
【００９７】
これにより、情報端末３００は、施設２０の測定装置１００から電力消費に係る情報を受信でき、この情報の受信のために測定装置１００にアクセスすると、施設２０に制御装置２００を導入していない場合に、測定装置１００から制御装置２００に関する情報を受信できる。
【００９８】
（７）例えば、認証部１５０は、測定装置１００が設置された施設２０に設置された制御装置２００の認証を行い、測定装置１００は、認証部１５０が制御装置２００の認証に成功している場合に、測定部１１０による測定結果を制御装置２００に送信する通信部１４０を備え、制御装置２００は、制御装置２００が設置された施設２０における装置（例えば測定装置１００、機器２１等）と通信することで電力消費の測定結果を取得し、測定結果に基づいて生成した消費情報を保持する機能を有し、情報提供システム１０は更に、制御装置２００から消費情報を受信して消費情報を情報端末３００へ送信するサーバ４００を備えることとしてもよい。消費情報の送信は、情報端末３００からのアクセスに応答して行ってもよいし、電子メール等の通信方法で行ってもよい。
【００９９】
これにより、情報端末３００は、サーバ４００からの情報の受信が可能であればどこに所在しても、施設２０に制御装置２００が導入されている場合にサーバ４００から、施設２０の制御装置２００が電力消費に係る情報に基づいて生成した消費情報を受信することが可能となる。
【０１００】
（８）例えば、送信部１３０は、認証部１５０が制御装置２００の認証に成功している場合に、消費情報のサーバ４００からの受信及び表示のためのコンピュータプログラム（例えばアプリケーションプログラム）を情報端末３００に取得させるために用いられる情報（例えばプログラムのダウンロード先のウェブサイトの情報等）を、情報端末３００に送信することとしてもよい。消費情報のサーバ４００からの受信及び表示のためのアプリケーションプログラムは、例えば、サーバ４００が消費情報を送信することに対応して受信及び表示を行えるようにサーバ４００と信号（消費情報）の通信方法及び表現方法等を整合させたものである。
【０１０１】
これにより、情報端末３００は、そのアプリケーションプログラムを取得してインストールすることで、そのアプリケーションプログラムで例えばサーバ４００にアクセスする等により適切に消費情報を取得できるようになり得る。
【０１０２】
（９）例えば、測定装置１００は、分電盤の筐体内に所在することとしてもよい。
【０１０３】
これにより、測定装置１００は、例えば分電盤内で分岐回路毎に電流センサを設ける等により、施設２０で消費される電力或いは電力量の測定を区分して行うこと等が比較的容易に実現できる。このため、測定装置１００は、情報端末３００等に有用な電力消費に係る情報を提供し得る。
【０１０４】
（１０）例えば、制御情報（制御装置２００の導入を推奨するための情報）は、制御装置２００の導入を推奨する情報の内容、又は、制御装置２００の導入を推奨する情報の提示指示を含むこととしてもよい。
【０１０５】
これにより、制御情報を受信した情報端末３００は、制御装置２００の導入を推奨する情報を提示可能となり得る。このため、ユーザは、制御装置２００を知り得る。
【０１０６】
（１１）例えば、制御情報は、制御装置２００の機能を示す情報を含むこととしてもよい。
【０１０７】
これにより、制御情報を受信した情報端末３００は、制御装置２００の機能を示す情報を提示可能となり得る。このため、ユーザは、制御装置２００の機能を知り得る。
【０１０８】
（１２）本発明の一態様に係る情報表示方法は、情報端末３００が備える表示装置に、制御装置２００が設置された施設２０におけるエネルギー消費の測定結果に基づく消費情報を生成する機能を有する制御装置２００に関連した情報を表示する情報表示方法であって、制御装置２００の認証に用いる情報の入力用の入力画面を表示装置に表示している際に情報端末３００へ所定操作が行われた場合において、その入力画面に対する入力内容を用いた制御装置２００の認証に成功したときには、制御装置２００で生成された消費情報を表示装置に表示させ、その入力画面に対する入力内容を用いた制御装置２００の認証に成功しないときには、制御装置２００の導入を推奨する情報を表示装置に表示させる。なお、入力画面に対する入力内容は、例えば、入力画面が入力フィールドを含むものであれば、入力フィールドに入力された内容であり得るし、入力画面が、音声での入力を誘導する旨の情報を表示するものであれば、音声入力された内容であり得る。
【０１０９】
これにより、施設２０への制御装置２００の導入の促進がなされ得る。
【０１１０】
（１３）本発明の一態様に係る制御プログラムは、プロセッサ及び表示装置を備える情報端末３００に、制御装置が設置された施設２０におけるエネルギー消費の測定結果に基づく消費情報を生成する機能を有するその制御装置２００に関連した情報を表示する情報表示処理を実行させるための制御プログラムであって、この情報表示処理は、制御装置２００の認証に用いる情報の入力用の入力画面を表示装置に表示する第１表示ステップと、入力画面を表示装置に表示している際に情報端末３００へ所定操作が行われたことを検知する検知ステップと、検知ステップにより所定操作が行われたことが検知された場合において、入力画面に対する入力内容を用いた制御装置２００の認証に成功したときには、制御装置２００で生成された消費情報を表示装置に表示し、入力画面に対する入力内容を用いた制御装置２００の認証に成功しないときには、制御装置２００の導入を推奨する情報を表示装置に表示する第２表示ステップとを含む。
【０１１１】
これにより、施設２０への制御装置２００の導入の促進がなされ得る。
【符号の説明】
【０１１２】
１０  情報提供システム
２０  施設
１００  測定装置
１１０  測定部
１２０  受信部
１３０  送信部
１４０  通信部
１５０  認証部
２００  制御装置
３００  情報端末
４００  サーバ
４１０  受信部
４２０  送信部
４３０  通信部
４４０  認証部
【図１】
2018088194.tif 000003
【図２】
2018088194.tif 000004
【図３】
2018088194.tif 000005
【図４Ａ】
2018088194.tif 000006
【図４Ｂ】
2018088194.tif 000007
【図５Ａ】
2018088194.tif 000008
【図５Ｂ】
2018088194.tif 000009
【図６】
2018088194.tif 000010
【図７】
2018088194.tif 000011
【図８】
2018088194.tif 000012
【図９】
2018088194.tif 000013
【図１０】
2018088194.tif 000014